(57)【要約】【課題】ピット内で保守点検を行う際に、確実に手動運行モードに切り替えることを可能とするピットライト連動制御装置を提供することである。【解決手段】ユーザ操作による自動運行モード、及び作業員操作による手動運行モードを有し、乗りかご１４が最下階の位置にいないときに自動運行モードのままでもピット１３内に作業員８が入ることが可能なエレベータシステム１０に用いられるピットライト連動制御装置２４であって、ピット１３内に設けられオン状態またはオフ状態を有するスイッチ３０であり、オン状態となったときにピットライト２８を消灯状態から点灯状態へと切り替え、オフ状態となったときにピットライト２８を点灯状態から消灯状態へと切り替えるスイッチ３０と、オン状態となったときに、自動運行モードを手動運行モードに強制的に切り替える切替手段と、を備える。【選択図】図１
2015160698.tif 000002
【特許請求の範囲】
【請求項１】
ユーザ操作による自動運行モード、及び作業員操作による手動運行モードを有し、前記乗りかごが最下階の位置にいないときに前記自動運行モードのままでもピット内に作業員が入ることが可能なエレベータシステムに用いられるピットライト連動制御装置であって、
前記ピット内に設けられオン状態またはオフ状態を有するスイッチ部であり、前記オン状態となったときにピット内照明を消灯状態から点灯状態へと切り替え、前記オフ状態となったときに前記ピット内照明を前記点灯状態から前記消灯状態へと切り替えるスイッチ部と、
前記オン状態となったときに、前記自動運行モードを前記手動運行モードに強制的に切り替える切替手段と、
を備えることを特徴とするピットライト連動制御装置。
【請求項２】
請求項１に記載のピットライト連動制御装置において、
前記切替手段は、
前記オフ状態となったときに、前記手動運行モードから前記自動運行モードに強制的に切り替えることを特徴とするピットライト連動制御装置。
【発明の詳細な説明】
【技術分野】
【０００１】
本発明は、ピットライト連動制御装置に関する。
【背景技術】
【０００２】
エレベータシステムは、ユーザ操作によって乗りかごを昇降させる自動運行モードと、作業員操作によって乗りかごを昇降させる手動運行モードとの２つの運行モードを有する。エレベータシステムでは、巻上機や制御盤等が定期的に点検される。この点検の際に、エレベータシステムの運行モードを自動運行モードから手動運行モードへ移行させる必要があるが、作業員がこの移行処理を忘れたまま点検作業を行ってしまうことがある。
【０００３】
特許文献１には、点検作業員であることを識別する識別信号を送信する無線通信機能を有するリモコン装置を作業員に携帯させ、リモコン装置から送信された識別信号を受信する受信装置をエレベータに配置し、受信装置が識別信号を受信した場合にエレベータの運行モードを自動的に手動運行モードに切り替える構成が開示されている。
【先行技術文献】
【特許文献】
【０００４】
【特許文献１】特開２０１２−４１１５５号公報
【発明の概要】
【発明が解決しようとする課題】
【０００５】
定期点検の対象である巻上機や制御盤等は、機械室に配置される場合やピット内に配置される場合がある。ピット内は、乗りかごが昇降する昇降路の下部に形成された領域であるため、作業員の作業中に乗りかごの不測な下降を確実に防止する必要がある。しかしながら、上記特許文献１の構成では、作業員がリモコン装置の携帯を忘れた場合に手動運行モードへの切り替えが行われない可能性があり、ユーザ操作等によって乗りかごが不測な下降を行うおそれがある。
【０００６】
本発明の目的は、ピット内で保守点検を行う際に、確実に手動運行モードに切り替えることを可能とするピットライト連動制御装置を提供することである。
【課題を解決するための手段】
【０００７】
本発明に係るピットライト連動制御装置は、ユーザ操作による自動運行モード、及び作業員操作による手動運行モードを有し、前記乗りかごが最下階の位置にいないときに前記自動運行モードのままでもピット内に作業員が入ることが可能なエレベータシステムに用いられるピットライト連動制御装置であって、前記ピット内に設けられオン状態またはオフ状態を有するスイッチ部であり、前記オン状態となったときにピット内照明を消灯状態から点灯状態へと切り替え、前記オフ状態となったときに前記ピット内照明を前記点灯状態から前記消灯状態へと切り替えるスイッチ部と、前記オン状態となったときに、前記自動運行モードを前記手動運行モードに強制的に切り替える切替手段と、を備えることを特徴とする。
【０００８】
また、本発明に係るピットライト連動制御装置において、前記切替手段は、前記オフ状態となったときに、前記手動運行モードから前記自動運行モードに強制的に切り替えることが好ましい。
【発明の効果】
【０００９】
上記構成により、ピット内照明が消灯状態から点灯状態へと切り替えられたときに、自動運行モードから手動運行モードへ運行モードが切り替えられる。これにより、作業員が手動運行モードへの切り替えを忘れたままピット内に入った場合であっても、ピット内照明を点灯させて保守点検作業をする際に、確実に手動運行モードに切り替えられる。したがって、作業員は、より安全に保守点検を行うことができる。
【図面の簡単な説明】
【００１０】
【図１】本発明に係る実施形態のピットライト連動制御装置を備えるエレベータシステムを示す図である。
【発明を実施するための形態】
【００１１】
以下に図面を用いて本発明に係る実施の形態につき、詳細に説明する。また、以下では、全ての図面において対応する要素には同一の符号を付し、重複する説明を省略する。
【００１２】
図１は、ピットライト連動制御装置２４を備えるエレベータシステム１０を示す図である。エレベータシステム１０は、昇降路１２内を昇降する乗りかご１４と、乗りかご１４とバランスをとるためのつり合い錘１６と、乗りかご１４及びつり合い錘１６に接続される主ロープ１８を駆動する巻上機２０とを備える。
【００１３】
エレベータシステム１０は、乗りかご１４に設置される運行モード切替部２２と、ピットライト連動制御装置２４と、制御部２６とを備える。
【００１４】
運行モード切替部２２は、エレベータシステム１０の運行モードを設定するための操作部を有する。エレベータシステム１０の運行モードは２つ存在する。１つは、ユーザ操作によって乗りかご１４を昇降させる自動運行モードである。もう１つは、作業員操作によって乗りかご１４を昇降させる手動運行モードである。
【００１５】
「自動運行モード」とは、一般的な乗りかご１４の運行であり、ユーザ操作によって設定された行き先階に乗りかご１４が移動するモードである。「手動運行モード」とは、作業員８が保守点検を行う際に、ユーザ操作による乗りかご１４の行き先階の設定を禁止し、作業員８が保守点検のために必要な操作を行うことで乗りかご１４が移動するモードである。
【００１６】
運行モード切替部２２は、作業員８がエレベータシステム１０の運行モードを自動運行モードから手動運行モードへ切り替えた場合に、これに対応する切替信号を制御部２６に送信する。運行モード切替部２２は、作業員８がエレベータシステム１０の運行モードを手動運行モードから自動運行モードへ切り替えた場合に、これに対応する切替信号を出力する。この切替信号は、信号線を介して制御部２６に伝送される。
【００１７】
ピットライト連動制御装置２４は、昇降路１２の下部のピット１３内を照らすピットライト２８と、ピットライト２８を切り替えるスイッチ部３０とを備える。
【００１８】
ピットライト２８は、ピット１３内の壁に設置されるピット内照明である。ピットライト２８は、例えば、ＬＥＤを用いて構成される。昇降路１２及びピット１３は、閉ざされた空間領域で暗闇であるが、ピットライト２８を点灯させることで作業員８はピット内１３で保守点検作業を行うことができる。なお、作業員８は、保守用の鍵を用いて最下階の乗場扉の錠を解錠し、乗場扉を強制的に開いてピット１３内に入ることができる。
【００１９】
スイッチ部３０は、ピット１３内に設けられており、オン状態またはオフ状態を有する。スイッチ部３０は、オン状態となったときにピットライト２８を消灯状態から点灯状態へと切り替え、オフ状態となったときにピットライト２８を点灯状態から消灯状態へと切り替える。
【００２０】
スイッチ部３０は、オン状態となったときに、エレベータシステム１０の運行モードを自動運行モードから手動運行モードへ強制的に切り替える切替信号を制御部２６に送信する。スイッチ部３０は、オフ状態となったときに、エレベータシステム１０の運行モードを手動運行モードから自動運行モードへ強制的に切り替えるための切替信号を出力する。この切替信号は、信号線を介して制御部２６に伝送される。
【００２１】
制御部２６は、エレベータシステム１０全般を制御する。ここでは、特に、制御部２６によるエレベータシステム１０の運行モードの切替機能について説明する。制御部２６は、運行モード切替部２２及びスイッチ部３０から伝送される切替信号に基づいて、エレベータシステム１０の運行モードを切り替える。
【００２２】
続いて、上記構成のピットライト連動制御装置２４の作用について説明する。エレベータシステム１０では、制御部２６がピット１３内に配置されている。ピット１３内は、乗りかご１４が昇降する昇降路１２の下部に形成された領域であるため、作業員８の作業中に乗りかご１４の不測な下降を確実に防止する必要がある。
【００２３】
作業員８が乗りかご１４内の運行モード切替部２２を用いて、エレベータシステム１０の運行モードを自動運行モードから手動運行モードへ切り替えた後、作業員８が最下階の乗場からピット１３内に入って作業する場合は問題無いが、作業員８が乗りかご１４内の運行モード切替部２２を用いて手動運行モードに切り替えることを忘れるおそれがある。
【００２４】
しかしながら、エレベータシステム１０では、ピットライト連動制御装置２４が設置されているため、仮に、作業員８が乗りかご１４内の運行モード切替部２２を用いて手動運行モードへの切り替えを忘れてしまった場合であっても、暗闇のピット１３内で作業を行う際には、スイッチ３０をオン状態にしてピットライト２８を点灯させることが推定される。
【００２５】
ピットライト連動制御装置２４によれば、ピットライト２８の点灯に連動して運行モードが強制的に自動運行モードから手動運行モードに切り替わるため、作業員８が乗りかご１４内の運行モード切替部２２を用いて手動運行モードへの切り替えを忘れてままピット１３内に入った場合であっても、乗りかご１３が予測しない昇降動作をすることはないため、作業員８は安全に保守点検作業を行うことができる。
【００２６】
また、作業員８が保守点検作業を終えて、スイッチ３０をオフ状態にして、ピットライト２８を消灯させたときに連動して、運行モードが強制的に手動運行モードから自動運行モードに切り替わる。したがって、作業員８が乗りかご１４内の運行モード切替部２２を用いて自動運行モードに戻さなくても自動的に自動運転モードに復旧させることができる。
【００２７】
なお、上記では、作業員８が乗りかご１４内の運行モード切替部２２を手動運行モードへの切り替えを忘れてしまった場合について説明したが、仮に運行モード切替部２２が故障等によって操作できない場合にも、ピットライト連動制御装置２４によれば、ピットライト２８の点灯に連動して運行モードが強制的に自動運行モードから手動運行モードに切り替えることができる。
【符号の説明】
【００２８】
８  作業員、１０  エレベータシステム、１２  昇降路、１３  ピット、１４  乗りかご、１６  つり合い錘、１８  主ロープ、２０  巻上機、２２  運行モード切替部、２４  ピットライト連動制御装置、２６  制御部、２８  ピットライト、３０  スイッチ。
【図１】
2015160698.tif 000003